(57)【要約】【課題】  軽量化を図ることが出来、既設の下段側足場板上での搬送が容易で作業がし易く、取付作業が短時間で簡単に行える安全手摺を提供する。【解決手段】  隣り合う支柱２，２間に足場板３を架け渡して組み立てられる足場４の組立にあたり、既設の下段側足場板３から、新設する上段側足場板３の先行仮設手摺として取り付ける安全手摺１であって、両支柱２，２の一方に添うように取り付ける竪杆６と、竪杆６の上端部に一端部を枢着して竪杆６に対し折り畳み重合可能な手摺本体７とで略Ｌ字状に形成され、竪杆６の上部側に支柱２の差込部５に掛止可能な第１フック８が設けられ、第１フック８の下方に支柱２の差込部５に掛止可能な第２フック９が設けられ、手摺本体７の他端部には他方の支柱２の差込部５に掛止可能なフック１１が設けられる。【選択図】図３
2005083147.tif 000002
【特許請求の範囲】
【請求項１】
上下方向に継ぎ足してなる支柱を複数並立させると共に、隣り合う支柱間に足場板を架け渡して組み立てられる足場の組立にあたり、支柱に設けられた差込部を利用して、既設の下段側足場板から、新設する上段側足場板の先行仮設手摺として取り付ける安全手摺であって、
隣合う両支柱の一方に添うように取り付ける竪杆と、竪杆の上端部に一端部を枢着して竪杆に対し折り畳み重合可能な手摺本体とによって略Ｌ字状に形成してなり、
竪杆には上部側に支柱の差込部に掛止可能な第１フックを設け、第１フックの下方に支柱の他の差込部に掛止可能な第２フックを設け、手摺本体の他端部には両支柱の他方の支柱の差込部に掛止可能なフックを設けてなる安全手摺。
【請求項２】
竪杆には第２フックの下方に、支柱の外周面に係合可能な凹面部を有する係合部片を備えた支持部材を設けてなる請求項１に記載の安全手摺。
【請求項３】
竪杆と手摺本体とを折り畳んで重ね合わせた時に両者の枢着部と反対側の端部どうしを固定するための固定手段を設けてなる請求項１又は２に記載の安全手摺。
【発明の詳細な説明】
【技術分野】
【０００１】
本発明は、建設作業現場において、上下方向に継ぎ足してなる支柱を複数並立させると共に、足場板長手方向に隣り合う支柱間に足場板を上下複数段に架け渡して組み立てられる単管足場の組立にあたり、支柱に設けられた孔付きフランジ等の差込部を利用して、既設の下段側足場板から、新設する上段側足場板の先行仮設手摺として取り付ける安全手摺に関するものである。
【背景技術】
【０００２】
従来の安全手摺は、公知文献を具体的に挙げることは出来ないが、両側一対の竪杆と上下の横杆とにより形成される周枠に複数の中桟を配設して矩形枠体状に形成したもので、この矩形枠体状手摺を、既設の下段側足場板から、新設する上段側足場板に持ち上げることによって、隣り合う両支柱に取り付けるようになっいる。
【発明の開示】
【発明が解決しようとする課題】
【０００３】
上記のような安全手摺では、矩形枠体状であるため重量が重くなると共に作業員が持ち難く、既設の下段側足場板での搬送が面倒であり、また矩形枠体状であるため、既設の下段足場板上で作業員が万歳をするような恰好で安全手摺を持ち上げて、新設する上段側足場板での取付作業を行わねばならず、従って安全手摺の取付作業が非常に面倒で、また非常な時間と手間がかかっていた。
【０００４】
本発明は、軽量化を図ることが出来、既設の下段側足場板上での搬送が容易で作業がし易く、取付作業が短時間で簡単に行える安全手摺を提供することを目的とする。
【課題を解決するための手段】
【０００５】
請求項１に係る発明の安全手摺は、後述する実施形態の参照符号を付して示せば、上下方向に継ぎ足してなる支柱２を複数並立させると共に、隣り合う支柱２，２間に足場板３を架け渡して組み立てられる足場４の組立にあたり、支柱２に設けられた差込部５を利用して、既設の下段側足場板３から、新設する上段側足場板３の先行仮設手摺として取り付ける安全手摺１であって、隣合う両支柱２，２の一方に添うように取り付ける竪杆６と、竪杆６の上端部に一端部を枢着して竪杆６に対し折り畳み重合可能な手摺本体７とによって略Ｌ字状に形成してなり、竪杆６には上部側に支柱２の差込部５に掛止可能な第１フック８を設け、第１フック８の下方に支柱２の他の差込部５に掛止可能な第２フック９を設け、手摺本体７の他端部には両支柱２，２の他方の支柱２の差込部５に掛止可能なフック１１を設けてなることを特徴とする。
【０００６】
請求項２は、請求項１に記載の安全手摺において、竪杆６には第２フック９の下方に、支柱２の外周面に係合可能な凹面部１９ａを有する係合支持部片１９を備えた支持部材１０を設けてなることを特徴とする。
【０００７】
請求項３は、請求項１又は２に記載の安全手摺において、竪杆６と手摺本体７とを折り畳んで重ね合わせた時に両者の枢着部と反対側の端部どうしを固定するための固定手段２１を設けてなることを特徴とする。
【発明の効果】
【０００８】
請求項１に係る発明の安全手摺は、隣合う両支柱の一方に添うように取り付ける竪杆と、竪杆の上端部に一端部を枢着して竪杆に対し折り畳み重合可能な手摺本体とによって略Ｌ字状に形成したもので、矩形枠状に形成された従来の安全手摺に比べて、部材点数が少なく、重量を軽減出来ると共に、製作が簡単で、コストの低廉化を図ることが出来き、そして使用しない時は、竪杆と手摺本体とが互いに重なり合うように折り畳むことによって、搬送、梱包、保管に便利となる。
【０００９】
また、安全手摺の竪杆には上部側に支柱の差込部に掛止可能な第１フックを設け、第１フックの下方に支柱の他の差込部に掛止可能な第２フックを設け、手摺本体の他端部には両支柱の他方の支柱の差込部に掛止可能なフックを設けてなるもので、使用にあたって、作業員は、既設の下段側足場板上にて、手摺本体側を持ってこれを立てた状態で、そのフックを隣合う一方の支柱の差込部に掛止した後、竪杆側を握って、第１フックを他方の支柱の差込部に掛止し、第２フックを差込部に掛止すればよいから、安全手摺の取付作業を短時間で簡単に行うことが出来る。
【００１０】
請求項２に係る発明によれば、竪杆には第２フックの下方に、支柱の外周面に係合可能な凹面部を有する係合支持部片を備えた支持部材を設けてあるから、この支持部材の係合支持部片を支柱の外周面に係合させることによって、安全手摺を一層安定状態に保持することが出来る。
【００１１】
請求項３に係る発明によれば、竪杆と手摺本体とを折り畳んで重ね合わせた時に両者の枢着部と反対側の端部どうしを固定するための固定手段を設けているから、竪杆と手摺本体とを折り畳んだ状態で互いに固定することが出来、それにより持ち運び及び保管に非常に便利となる。
【発明を実施するための最良の形態】
【００１２】
本発明の好適な実施形態について図面を参照しながら説明すると、先ず、図面において図１の(a) は本発明に係る安全手摺１を使用状態で示す正面図、(b) は同安全手摺１を折り畳んだ状態で示す正面図である。図２の(a) は同安全手摺１の取付状態を示す正面図、(b) は同取付状態の平面図である。図３の(a) は同安全手摺１の使用状態を説明する正面図、(b) はその平面図である。
【００１３】
この安全手摺１は、図３に示すように、上下方向に継ぎ足してなる支柱２を複数並立させると共に、図の左右に隣り合う支柱２，２間に足場板３を架け渡して組み立てられる単管足場４の組立にあたり、支柱２に設けられた差込部５を利用して、図３の下部側に実線で示される既設の下段側足場板３から、図３の上部側に仮想線で示される新設する上段側足場板３の先行仮設手摺として取り付けるもので、隣合う両支柱２，２の一方の支柱２に添うように取り付ける竪杆６と、この竪杆６の上端部に一端部を枢着して竪杆６に対して折り畳み重合可能な手摺本体７とによって略Ｌ字状に形成されるようになっている。
【００１４】
図１及び図２に示すように、竪杆６には、上部側に支柱２の差込部５に掛止可能な第１フック８が設けられ、第１フック８の下方には支柱２の他の差込部５に掛止可能な第２フック９が設けられ、第２フック９の下方には支柱の外周面に係合可能な凹面部１９ａを有する係合支持部片１９を備えた支持部材１０が設けられている。そして、手摺本体７の他端部（枢着端部と反対側の端部）には隣合う両支柱２，２の他方の支柱２の差込部５に掛止可能なフック１１が設けられている。手摺本体７の一端部にはＵ字形の枢着用ブラケット１２が固着され、これに竪杆６の上端部がピン１３で回動可能に枢着されている。
【００１５】
差込部５は、各支柱２にその長手方向一定間隔おきに固着されたフランジ部材１４からなるもので、各フランジ部材１４には、図４〜図６に示すように、差込孔ａが支柱２の周りに９０度の間隔で４つ開口形成されている。また、足場板３の両端部は、図３の(b) に示すように、単管足場４の横方向（足場板３の幅方向）に隣り合う支柱２，２のフランジ部材１４に連結された横ステー１５，１５に掛止用フック１６によって掛止される。尚、図３において１７及び１８は、安全手摺１の仮設後に設置される本設の手摺材である上桟及び中桟である。
【００１６】
安全手摺１を形成する竪杆６の上部側にある第１フック８は、図５の(a) 及び(b) に示されるように、コ字枠片８ｃを介して竪杆６に垂直に固着した水平支持腕８ｂの先端部にピン状のフック本体８ａを下向きに突出するように取り付けてなるものである。水平支持腕８ｂは、図２の(b) 及び図３の(b) の平面図から分かるように、手摺本体７のほぼ軸線に沿って延び、先端側が内側へ屈曲するように形成されている。
【００１７】
第１フック８の下方にある第２フック９は、図６の(a) 及び(b) に示されるように、竪杆６に垂直に固着した水平支持腕９ｂの先端部に楔状のフック本体９ａを下向きに突出するように一体形成してなるものである。この第２フック９の下方にある支持部材１０は、竪杆６に垂直に固着した水平支持腕１０ａの先端部に、支柱２の外周面に係合可能な凹面部１９ａを有する係合支持部片１９を取り付けたものである。
【００１８】
図７の(a) は手摺本体７を竪杆６から切り離した状態で示す正面図、(b) は底面図である。この図面から分かるように、この手摺本体７の枢着端部と反対側の端部に設けられるフック１１は、手摺本体７の端部に固着された取付用アングル部材１１ｂの先端側に略しの字状に形成されたフック本体１１ａを固着してなるもので、このフック本体１１ａが、隣合う両支柱２，２の他方の支柱２の差込部５に掛止されるようになっている。１１ｃはアングル部材１１ｂの内隅部に取り付けられた補強片である。
【００１９】
また、竪杆６と手摺本体７とを図１の(b) に示すように折り畳んで互いに重ね合わせた時両者の枢着部と反対側の端部どうしを固定するための固定手段２０が設けられている。この固定手段２０は、竪杆６の下端部に取り付けられた蝶ボルト２１と、竪杆６と手摺本体７とを折り畳んだ時に竪杆６側の蝶ボルト２１が螺合するように手摺本体７の下側面の端部に固着されたナット２２（図７の(a) 及び(b) 参照）とからなる。蝶ボルト２１は、図１及び図２に示すように、竪杆６の下端部に固着してあるナット２３に螺合された状態で、竪杆６のボルト挿通孔２４（図４の(a) 参照）に挿通されている。
【００２０】
従って、竪杆６と手摺本体７とを折り畳んで重ね合わせた時、竪杆６側の蝶ボルト２１を手摺本体７側のナット２２に螺合することによって、竪杆６と手摺本体７とを折り畳んだ状態で互いに固定することが出来、それにより持ち運び及び保管に非常に便利となる。また、竪杆６側に蝶ボルト２１を取り付け、手摺本体７の下面側にナット２２を取り付けているのは、安全手摺１の使用時に手摺本体７に手を掛けても、手摺本体７の上面側に突起物がなく、安全だからである。
【００２１】
次に、上記のように構成される安全手摺１の使用方法について図３を中心に説明する。図３において、実線で示す安全手摺１は単管足場４における既設の下段側足場板であり、仮想線で示す安全手摺１は未だ架け渡されていない新設の上段側足場板であって、安全手摺１は、既設の下段側足場板３から、新設する上段側足場板３の先行仮設手摺として支柱２，２に取り付けるものである。
【００２２】
安全手摺１は、使用しない時には、図１の(b) に示すように竪杆６と手摺本体７とが互いに重なり合うように折り畳み、竪杆６側にある固定手段２０の蝶ボルト２１を手摺本体７側にあるナット２２に螺合して固定しておく。この安全手摺１を単管足場４に設置するにあたって、折り畳んだ安全手摺１を、足場４における既設の下段側足場板３上を作業員Ｍが持ち歩いて、安全手摺１を仮設する所定位置まで搬送する。
【００２３】
しかして、作業員Ｍは、既設の下段側足場板３上において、搬送してきた安全手摺１の固定手段２０による固定を解除し、手摺本体７側を持ってこれを立てた状態にしながら、そのフック１１のフック本体１１ａ（図７参照）を図３の左側に示す支柱２の最上段側フランジ部材１４の差込孔ａに挿入して掛止する。
【００２４】
この後、作業員Ｍは、図３に示すように竪杆６側を両手で握って、第１フック８のピン状フック本体８ａを図３の右側に示す支柱２の二段目側フランジ部材１４の差込孔ａに挿入掛止する（図５の(a) 及び(b) 参照）と共に、第２フック９の楔状フック本体９ａを同支柱２の三段目側フランジ部材１４の差込孔ａに挿入掛止し（図６の(a) 及び(b) 参照）、更には第２フック９の下方にある支持部材１０の係合支持部片１９を支柱２の外周面に係合させる（図６の(a) 及び(b) 参照）。これにより、既設の下段側足場板３から新設する上段側足場板３の先行仮設手摺としての安全手摺１の取付けが完了する。
【００２５】
こうして取り付けられた安全手摺１は、竪杆６の第１フック８及び第２フック９が一方の支柱２のフランジ部材１４に掛止され、手摺本体７のフック１１が他方の支柱２のフランジ部材１４に掛止されることによって、安定状態に取付け固定される。また、この安全手摺１は、図２の(b) 及び図３の(b) から分かるように、竪杆６及び手摺本体７が、これから取り付ける本設の手摺材である上桟１７及び中桟１８よりも若干外側に隔たった位置に取り付けられている。
【００２６】
上記のようにして安全手摺１を足場板３長手方向に隣り合う支柱２，２に仮設した後、図３の仮想線で示すように上段側足場板３を架け渡す。この足場板３は、図３の(b) に示すように、足場板３の幅方向に隣り合う支柱２，２のフランジ部材１４，１４に連結された横ステー１５，１５に掛止用フック１６，１６で掛止させることにより架け渡す。
【００２７】
上段側足場板３の架け渡し後、この上段側足場板３の上方において、安全手摺１の手摺本体７と略々同じ高さ位置に本設の手摺材である上桟１７を、また安全手摺１の第２フック９の掛止位置と略々同じ高さ位置に中桟１８を、夫々支柱２，２に架け渡す。本設の手摺材である上桟１７及び中桟１８の架け渡しは、各桟１７，１８の両端部に設けられている周知の取付金具２５，２５によって行う。この場合、安全手摺１は、上記したように、支柱２よりも外側に若干隔たった位置に取り付けられているから、本設の手摺材である上桟１７及び中桟１８と干渉することがない。
【００２８】
図８に示す安全手摺１は、手摺本体７の枢着端部側と反対側の端部にあるフック１１が手摺本体７の軸線と略々同軸上に設けられていて、このフック１１が支柱２の差込部５に掛止された時、手摺本体７が差込部５と略々同じレベルとなるようになっている。これによれば、安全手摺１の手摺本体７と、本設の手摺材である上桟１７とを同じレベルに取り付けることが出来る。
【００２９】
以上説明したように、本発明の安全手摺１は、隣合う両支柱２，２の一方に添うように取り付ける竪杆６と、竪杆６の上端部に一端部を枢着して竪杆６に対し折り畳み重合可能な手摺本体７とによって略Ｌ字状に形成されたもので、矩形枠状に形成された従来の安全手摺に比べて、部材点数が少なく、重量を軽減出来ると共に、製作が簡単で、コストの低廉化を図ることが出来る。そして、使用しない時は、図１の(b) に示すように竪杆６と手摺本体７とが互いに重なり合うように折り畳むことによって、搬送、梱包、保管に便利となる
【００３０】
また、この安全手摺１の竪杆６には上部側に支柱２の差込部５に掛止可能な第１フック８を設けると共に、第１フック８の下方に支柱２の他の差込部５に掛止可能な第２フック９を設け、手摺本体７の他端部には両支柱２，２の他方の支柱２の差込部５に掛止可能なフック１１を設けてなるもので、使用にあたって、作業員Ｍは、既設の下段側足場板３上にて、手摺本体７側を持ってこれを立てた状態で、そのフック１１を一方の支柱２のフランジ部材１４の差込孔ａに掛止した後、竪杆６側を握って、第１フック８を他方の支柱２のフランジ部材１４の差込孔ａに掛止し、第２フック９を下方のフランジ部材１４の差込孔ａに掛止し、更にこの第２フック９の下方にある支持部材１０の係合支持部片１９を支柱２の外周面に係合させればよいから、安全手摺１の取付作業を短時間で簡単に行うことが出来る。
【００３１】
また、この安全手摺１では、竪杆６の第１フック８及び第２フック９が一方の支柱２のフランジ部材１４に掛止され、手摺本体７のフック１１が他方の支柱２のフランジ部材１４に掛止されることによって、安定状態に取付け固定されるが、竪杆６には第２フック９の下方に、支柱２の外周面に係合可能な凹面部１９ａを有する係合支持部片１９を備えた支持部材１０が設けてあるから、この支持部材１０の係合支持部片１９を支柱２の外周面に係合させることによって、安全手摺１を一層安定状態に保持することが出来る。
【００３２】
以上説明した実施形態では、支柱２の差込部５を差込孔ａ付きのフランジ部材１４からなるものとしているが、この差込部５はフランジ部材１４に限るものではなく、例えば、平面視コ字形の枠片を支柱２の外周面に周方向所要間隔おきに複数個固着してなるポケット型の差込部でもよい。
【図面の簡単な説明】
【００３３】
【図１】(a) は本発明に係る安全手摺を使用状態で示す正面図、(b) は同安全手摺を折り畳んだ状態で示す正面図である。
【図２】(a) は同安全手摺の取付状態を示す正面図、(b) は同取付状態の平面図である。
【図３】(a) は同安全手摺の使用状態を説明する正面図、(b) は平面図である。
【図４】(a) は竪杆を手摺本体と切り離した状態で示す正面図であり、(b) は平面図である。
【図５】(a) は図４の(a) の矢印イで囲まれる部分の拡大正面図、(b) はその平面図である。
【図６】(a) は図４の(a) の矢印ロで囲まれる部分の拡大正面図、(b) はその平面図である。
【図７】(a) は手摺本体を竪杆から切り離した状態で示す正面図、(b) は底面図である。
【図８】(a) は本発明に係る安全手摺を示す他の実施形態を示す正面図、(b) は平面図である。
【符号の説明】
【００３４】
１            安全手摺
２            支柱
３            足場板
４            足場
５            差込部
６            竪杆
７            手摺本体
８            第１フック
９            第２フック
１０          支持部材
１１          フック
１４          フランジ部材
１９          係合支持部片
１９ａ        凹面部
２１          固定手段
【図１】
2005083147.tif 000003
【図２】
2005083147.tif 000004
【図３】
2005083147.tif 000005
【図４】
2005083147.tif 000006
【図５】
2005083147.tif 000007
【図６】
2005083147.tif 000008
【図７】
2005083147.tif 000009
【図８】
2005083147.tif 000010